(57)【特許請求の範囲】
【請求項１】
フィルタ（１５０）と、
前記フィルタに対して相対的に移動して、前記フィルタを清掃する清掃ユニット（１６０）と、
を備え、
前記清掃ユニットは、
前記フィルタに付着した塵埃を除去する除去ブラシ（１７０）と、
前記除去により前記除去ブラシに付着した前記塵埃を剥がす剥離ブラシ（１８０）と、
前記剥離ブラシにより剥がされた前記塵埃を貯留する貯留部（１９０）と、
を有し、
前記除去ブラシ、前記剥離ブラシ、および前記貯留部は、前記フィルタの面に沿った方向に配置されており、
前記除去ブラシは、前記剥離ブラシと前記貯留部の間に位置し、前記除去ブラシと前記剥離ブラシが互いに接する領域のうち前記清掃ユニットの内側の部分が前記清掃ユニットの外側の部分よりも強く接している、空気調和装置。
【請求項２】
前記剥離ブラシにより剥がされた前記塵埃が前記貯留部に案内されるときに、前記剥離ブラシおよび前記除去ブラシは、互いに接触している、
請求項１に記載の空気調和装置。
【請求項３】
前記清掃ユニットは、前記除去ブラシ側に前記剥離ブラシを付勢する付勢部材（２００）をさらに有する、
請求項２に記載の空気調和装置。
【請求項４】
前記清掃ユニットが前記フィルタに対して移動し、
前記清掃ユニットの清掃時の移動方向の前側から順に、前記剥離ブラシ、前記除去ブラシ、および前記貯留部が位置している、
請求項１から請求項３のいずれか１項に記載の空気調和装置。
【発明の詳細な説明】
【技術分野】
【０００１】
本発明は、空気調和装置に関する。
【背景技術】
【０００２】
フィルタに付着した塵埃を除去する機構を備えた空気調和装置が知られている（特許文献１（特開２００９−１９２２１１号公報）参照）。
【発明の概要】
【発明が解決しようとする課題】
【０００３】
この種の空気調和装置は、一般的に、フィルタに付着した塵埃を除去する除去ブラシと、除去ブラシに付着した塵埃を剥がす剥離ブラシと、剥離ブラシにより剥がされた塵埃を貯留する貯留部とを備える。除去ブラシ、剥離ブラシ、および貯留部の配置関係によっては、貯留部の容積を十分に確保できない場合がある。
【０００４】
本発明の課題は、除去ブラシ、剥離ブラシ、および貯留部の配置による、貯留部の容積の低下を抑制する空気調和装置を提供することである。
【課題を解決するための手段】
【０００５】
本発明の第１観点に係る空気調和装置は、フィルタと、清掃ユニットとを備える。清掃ユニットは、フィルタに対して相対的に移動して、フィルタを清掃する。清掃ユニットは、除去ブラシと、剥離ブラシと、貯留部とを有する。除去ブラシは、フィルタに付着した塵埃を除去する。剥離ブラシは、除去により除去ブラシに付着した塵埃を剥がす。貯留部は、剥離ブラシにより剥がされた塵埃を貯留する。除去ブラシ、剥離ブラシ、および貯留部は、フィルタの面に沿った方向に配置されている。除去ブラシは、剥離ブラシと貯留部の間に位置している。
【０００６】
本発明の第１観点に係る空気調和装置では、除去ブラシは、剥離ブラシと貯留部の間に位置している。すなわち、貯留部は、除去ブラシを挟んで、剥離ブラシとは反対側に位置している。したがって、剥離ブラシが除去ブラシと貯留部の間に位置している場合に比べて、貯留部と剥離ブラシの間の距離が長くなる。結果として、上記の場合に比べて、貯留部の容積を増大させることができる。よって、貯留部の容積の低下を抑制することができる。
【０００７】
また、本発明の第１観点に係る空気調和装置においては、除去ブラシと剥離ブラシが互いに接する領域のうち、清掃ユニットの内側の部分は、清掃ユニットの外側の部分よりも強く接している。
【０００８】
それゆえ、本発明の第１観点に係る空気調和装置では、塵埃が剥離ブラシと除去ブラシの間から清掃ユニット外にこぼれ落ちることを防止することができる。
【０００９】
本発明の第２観点に係る空気調和装置においては、剥離ブラシにより剥がされた塵埃が貯留部に案内されるときに、剥離ブラシおよび除去ブラシは、互いに接触している。すなわち、剥離ブラシと除去ブラシの間に隙間が存在しない。
【００１０】
したがって、本発明の第２観点に係る空気調和装置では、塵埃が剥離ブラシと除去ブラシの間から清掃ユニット外にこぼれ落ちることを防止することができる。
【００１１】
本発明の第３観点に係る空気調和装置においては、清掃ユニットは、除去ブラシ側に剥離ブラシを付勢する付勢部材をさらに有する。
【００１２】
したがって、本発明の第３観点に係る空気調和装置では、剥離ブラシは、より確実に、除去ブラシに接触する。これにより、塵埃が除去ブラシと剥離ブラシの間から清掃ユニット外にこぼれ落ちることを、より確実に防止することができる。
【００１３】
本発明の第４観点に係る空気調和装置においては、清掃ユニットがフィルタに対して移動する。清掃ユニットの清掃時の移動方向の前側から順に、剥離ブラシ、除去ブラシ、および貯留部が位置している。
【００１４】
本発明の第４観点に係る空気調和装置では、剥離ブラシが除去ブラシと貯留部の間に位置している場合に比べて、貯留部と剥離ブラシの間の距離が長くなる。結果として、上記の場合に比べて、貯留部の容積を増大させることができる。よって、貯留部の容積の低下を抑制することができる。
【発明の効果】
【００１５】
本発明の第１観点に係る空気調和装置では、剥離ブラシが除去ブラシと貯留部の間に位置している場合に比べて、貯留部と剥離ブラシの間の距離が長くなる。結果として、上記の場合に比べて、貯留部の容積を増大させることができる。よって、貯留部の容積の低下を抑制することができる。また、塵埃が剥離ブラシと除去ブラシの間から清掃ユニット外にこぼれ落ちることを防止することができる。
【００１６】
本発明の第２観点に係る空気調和装置では、剥離ブラシと除去ブラシの間に隙間が存在しないので、塵埃が剥離ブラシと除去ブラシの間から清掃ユニット外にこぼれ落ちることを防止することができる。
【００１７】
本発明の第３観点に係る空気調和装置では、剥離ブラシを、より確実に、除去ブラシに接触させることができる。結果として、塵埃が除去ブラシと剥離ブラシの間から清掃ユニット外にこぼれ落ちることを、より確実に防止することができる。
【００１８】
本発明の第４観点に係る空気調和装置では、貯留部の容積の低下を抑制することができる。
【図面の簡単な説明】
【００１９】
【図１】本発明の一実施形態に係る空気調和装置の外観斜視図である。
【図２】前面板が取り外された空気調和装置の外観斜視図である。
【図３】図１のＩＩＩ−ＩＩＩ断面図である。
【図４】空気調和装置の一部の分解斜視図である。
【図５】清掃ユニットの外観斜視図である。
【図６】清掃ユニットの外観斜視図である。
【図７】清掃ユニットの外観斜視図である。
【図８】図５のＶＩＩＩ−ＶＩＩＩ断面図である。
【図９】清掃ユニットの組み立て図である。
【図１０】清掃ユニットの組み立て図である。
【図１１Ａ】コイルバネが取り付けられた剥離ブラシをＸ軸マイナス方向から見た平面図である。
【図１１Ｂ】コイルバネおよびコイルバネ周辺を拡大した斜視図である。
【図１２】図１０のＸＩＩ−ＸＩＩ断面の一部拡大図である。
【発明を実施するための形態】
【００２０】
本発明の実施形態を以下に示す。なお、以下の実施形態は、具体例に過ぎず、特許請求の範囲に係る発明を限定するものではない。
【００２１】
＜第１実施形態＞
（１）空気調和装置の構成
図１は、本発明の一実施形態に係る空気調和装置１００の外観斜視図である。本明細書では、「前」、「後」、「上」、「下」、「左」、および「右」の６つの方向は、図１に示されるように定義される。図２は、後述の前面板１１６が取り外された空気調和装置１００の外観斜視図である。図３は、図１のＩＩＩ−ＩＩＩ断面図である。図４は、空気調和装置１００の一部の分解斜視図である。
【００２２】
空気調和装置１００は、主として、本体ケーシング１１０、室内ファン１２０、室内熱交換器１３０、支持フレーム１４０、フィルタ１５０、および清掃ユニット１６０を備える。本体ケーシング１１０の背面側が側壁ＷＬに取り付けられることにより、空気調和装置１００は室内ＲＳの側壁ＷＬに設置される。
【００２３】
（１−１）本体ケーシング
本体ケーシング１１０は、背面板１１１、天板１１３、左側板１１４、右側板１１５、および前面板１１６により構成されている。本体ケーシング１１０は、室内ファン１２０、室内熱交換器１３０、支持フレーム１４０、フィルタ１５０、および清掃ユニット１６０等を収納している。本体ケーシング１１０の上部には、吸込口１０１が形成されている。本体ケーシング１１０の下部の中央付近には、調和空気を吹き出す吹出口１０２が形成されている。
【００２４】
（１−２）室内ファン
室内ファン１２０は、本体ケーシング１１０の、上下方向における略中央部分に配置されている。室内ファン１２０は、クロスフローファンである。室内ファン１２０は、ファンモータに接続されている。室内ファン１２０がファンモータの駆動により回転すると、室内の空気は、吸込口１０１から本体ケーシング１１０の内部に吸い込まれる。吸い込まれた空気は、室内熱交換器１３０を通過した後、吹出口１０２に通じる案内流路を案内されて、最終的に吹出口１０２から吹き出される。
【００２５】
（１−３）室内熱交換器
室内熱交換器１３０は、室内ファン１２０の一部を覆うように配置されている。より詳細には、室内熱交換器１３０は、室内ファン１２０の上部付近、すなわち、室内ファン１２０の前方下側付近から室内ファン１２０の後方上側付近にかけて、位置している。室内熱交換器１３０は、冷房運転時に冷媒の蒸発器として機能し、暖房運転時に冷媒の放熱器として機能する。
【００２６】
（１−４）支持フレーム
支持フレーム１４０は、室内熱交換器１３０を覆うように配置されている。支持フレーム１４０の後端は、化粧板であるグリル１１７にビス止めされている。支持フレーム１４０は、フィルタ１５０および清掃ユニット１６０を支持している。支持フレーム１４０は、中央フレーム１４０Ｃ、左側支持フレーム部分１４０Ｌ、および右側支持フレーム部分１４０Ｒを有する。
【００２７】
中央フレーム１４０Ｃは、支持フレーム１４０の左右方向の中央に設けられている。中央フレーム１４０Ｃは、支持フレーム１４０の前方下側の端部から後方上側の端部にかけて位置している。中央フレーム１４０Ｃは、支持フレーム１４０を左側支持フレーム部分１４０Ｌと右側支持フレーム部分１４０Ｒに区画している。
【００２８】
左側支持フレーム部分１４０Ｌは、支持フレーム１４０のうち、中央フレーム１４０Ｃにより区画された左側の部分である。左側支持フレーム部分１４０Ｌは、２つの爪部１４１Ｌと、２つの取付部１４２Ｌとを含む。２つの爪部１４１Ｌは、左側支持フレーム部分１４０Ｌの前方下側に設けられている。２つの爪部１４１Ｌは、互いに左右方向に離れて位置している。一方の取付部１４２Ｌは、左側支持フレーム部分１４０Ｌの左側端部の側壁に設けられている。他方の取付部１４２Ｌは、中央フレーム１４０Ｃのうち左側支持フレーム部分１４０Ｌ側の側壁に設けられている。すなわち、２つの取付部１４２Ｌは、互いに左右方向に離れて位置している。２つの取付部１４２Ｌは、左右方向に対向して位置している。また、左側支持フレーム部分１４０Ｌの上部の左右両端には、ガイドレール１４３Ｌが設けられている。
【００２９】
左側支持フレーム部分１４０Ｌの前方下側の端部には、左用シャフトが左右方向に沿って設けられている。左用シャフトは、左用モータにより回転する。左用シャフトの両端には、左用駆動ギアが連結されている。それぞれの左用駆動ギアには、左用ワイヤーベルトが掛けられている。それぞれの左用ワイヤーベルトは、左側支持フレーム部分１４０Ｌの前方下側（すなわち左用駆動ギア）から後方上側に沿って環状に配置されている。２つの取付部１４２Ｌは、左用ワイヤーベルトのそれぞれに固定されている。それぞれの左用駆動ギアが回転することによって、左用ワイヤーベルトが左側支持フレーム部分１４０Ｌに沿った軌道上を移動する。そうすると、２つの取付部１４２Ｌも移動する。より詳細には、前方下側の端部から後方上側の端部の間を移動する。
【００３０】
右側支持フレーム部分１４０Ｒは、支持フレーム１４０のうち、中央フレーム１４０Ｃにより区画された右側の部分である。右側支持フレーム部分１４０Ｒは、２つの爪部１４１Ｒと、２つの取付部１４２Ｒとを含む。２つの爪部１４１Ｒは、右側支持フレーム部分１４０Ｒの前方下側に設けられている。２つの爪部１４１Ｒは、互いに左右方向に離れて位置している。一方の取付部１４２Ｒは、右側支持フレーム部分１４０Ｒの右側端部の側壁に設けられている。他方の取付部１４２Ｒは、中央フレーム１４０Ｃのうち右側支持フレーム部分１４０Ｒ側の側壁に設けられている。すなわち、２つの取付部１４２Ｒは、互いに左右方向に離れて位置している。２つの取付部１４２Ｒは、左右方向に対向して位置している。また、右側支持フレーム部分１４０Ｒの上部の左右両端には、ガイドレール１４３Ｒが設けられている。
【００３１】
右側支持フレーム部分１４０Ｒの前方下側の端部には、右用シャフトが左右方向に沿って設けられている。右用シャフトは、右用モータにより回転する。右用シャフトの両端には、右用駆動ギアが連結されている。それぞれの右用駆動ギアには、右用ワイヤーベルトが掛けられている。それぞれの右用ワイヤーベルトは、右側支持フレーム部分１４０Ｒの前方下側（すなわち右用駆動ギア）から後方上側に沿って環状に配置されている。２つの取付部１４２Ｒは、右用ワイヤーベルトのそれぞれに固定されている。それぞれの右用駆動ギアが回転することによって、右用ワイヤーベルトが右側支持フレーム部分１４０Ｒに沿った軌道上を移動する。そうすると、２つの取付部１４２Ｒも移動する。より詳細には、前方下側の端部から後方上側の端部の間を移動する。
【００３２】
（１−５）フィルタ
フィルタ１５０は、支持フレーム１４０を覆うように、すなわち、室内熱交換器１３０を覆うように、配置されている。フィルタ１５０は、室内熱交換器１３０に向かう空気中に含まれる塵埃を捕集する。本実施形態においては、フィルタ１５０は、左側フィルタ１５０Ｌおよび右側フィルタ１５０Ｒを含む。
【００３３】
左側フィルタ１５０Ｌは、室内熱交換器１３０の左半分を覆う。左側フィルタ１５０Ｌは、２つの溝部１５１Ｌと、複数の突起部１５２Ｌとを有する。２つの溝部１５１Ｌは、左側フィルタ１５０Ｌの前方下側に設けられている。２つの溝部１５１Ｌは、左右方向に離れて位置している。２つの溝部１５１Ｌが２つの爪部１４１Ｌに掛けられ、かつ、左側フィルタ１５０Ｌの左右両端のフレーム部分が左右のガイドレール１４３Ｌに差し込まれることによって、左側フィルタ１５０Ｌは、左側支持フレーム部分１４０Ｌに支持されている。
【００３４】
複数の突起部１５２Ｌは、左側フィルタ１５０Ｌの左右両端のそれぞれに列状に設けられている。より詳細には、複数の突起部１５２Ｌは、左右の外枠部分のそれぞれに前側から後側にかけて一定間隔毎に形成されている。複数の突起部１５２Ｌは、後述の清掃ユニット１６０Ｌの動作状態を、清掃状態とリフレッシュ状態との間で切り換える役割を担う。
【００３５】
右側フィルタ１５０Ｒは、室内熱交換器１３０の右半分を覆う。右側フィルタ１５０Ｒは、２つの溝部１５１Ｒと、複数の突起部１５２Ｒとを有する。２つの溝部１５１Ｒは、右側フィルタ１５０Ｒの前方下側に設けられている。２つの溝部１５１Ｒは、左右方向に離れて位置している。２つの溝部１５１Ｒが２つの爪部１４１Ｒに掛けられ、かつ、右側フィルタ１５０Ｒの左右両端のフレーム部分が左右のガイドレール１４３Ｒに差し込まれることによって、右側フィルタ１５０Ｒは、右側支持フレーム部分１４０Ｒに支持されている。
【００３６】
複数の突起部１５２Ｒは、右側フィルタ１５０Ｒの左右両端のそれぞれに列状に設けられている。より詳細には、複数の突起部１５２Ｒは、左右の外枠部分のそれぞれに前側から後側にかけて一定間隔毎に形成されている。複数の突起部１５２Ｒは、後述の清掃ユニット１６０Ｒの動作状態を、清掃状態とリフレッシュ状態との間で切り換える役割を担う。
【００３７】
（１−６）清掃ユニット
清掃ユニット１６０は、支持フレーム１４０に摺動可能に取り付けられている。清掃ユニット１６０は、フィルタ１５０に対して移動してフィルタ１５０を清掃する。より詳細には、清掃ユニット１６０は、フィルタ１５０の前方下側の端部から後方上側の端部の間を移動する。清掃ユニット１６０の動作状態は、後方上側に向けて移動する場合に清掃状態となり、前方下側に向けて移動する場合にリフレッシュ状態となる。なお、清掃状態は、フィルタ１５０に付着した塵埃を除去する状態であり、リフレッシュ状態は、後述の除去ブラシ１７０に付着した塵埃を剥がす状態である。本実施形態においては、清掃ユニット１６０は、清掃状態とリフレッシュ状態の切換を細かく繰り返す。より詳細には、清掃ユニット１６０がフィルタ１５０の前方下側の端部から後方上側の端部まで移動する間に、清掃ユニット１６０は、清掃状態とリフレッシュ状態の切換を複数回行う。
【００３８】
清掃ユニット１６０は、フィルタ１５０に対向して配置されている。なお、本明細書においては、清掃ユニット１６０のうちフィルタ１５０に対向する面とは反対側の面を表面と記し、フィルタ１５０に対向する面を裏面と記す場合がある。本実施形態においては、清掃ユニット１６０は、清掃ユニット１６０Ｌおよび清掃ユニット１６０Ｒを含む。
【００３９】
清掃ユニット１６０Ｌは、左側フィルタ１５０Ｌに対向して配置されている。清掃ユニット１６０Ｌは、２つの固定部１６１Ｌを有する。一方の固定部１６１Ｌは、左側面に設けられている。より詳細には、左側面から左方向に突出している。他方の固定部１６１Ｌは、右側面に設けられている。より詳細には、右側面から右方向に突出している。２つの固定部１６１Ｌが２つの取付部１４２Ｌに取り付けられることにより、清掃ユニット１６０Ｌは、支持フレーム１４０に支持されている。２つの取付部１４２Ｌが移動することにより、清掃ユニット１６０Ｌも移動する。
【００４０】
清掃ユニット１６０Ｒは、右側フィルタ１５０Ｒに対向して配置されている。清掃ユニット１６０Ｒは、２つの固定部１６１Ｒを有する。一方の固定部１６１Ｒは、左側面に設けられている。より詳細には、左側面から左方向に突出している。他方の固定部１６１Ｒは、右側面に設けられている。より詳細には、右側面から右方向に突出している。２つの固定部１６１Ｒが２つの取付部１４２Ｒに取り付けられることにより、清掃ユニット１６０Ｒは、支持フレーム１４０に支持されている。２つの取付部１４２Ｒが移動することにより、清掃ユニット１６０Ｒも移動する。
【００４１】
（２）清掃ユニットの詳細構成
清掃ユニット１６０Ｌの構成および清掃ユニット１６０Ｒの構成は、同一である。したがって、ここでは、清掃ユニット１６０Ｌを例に挙げて説明する。
【００４２】
図５、図６、および図７は、清掃ユニット１６０Ｌの外観斜視図である。図５および図６は、清掃ユニット１６０Ｌの表面側の外観斜視図である。図５は、後述のカバー部１６３が閉じた状態の清掃ユニット１６０Ｌを示す。図６は、カバー部１６３が開いた状態の清掃ユニット１６０Ｌを示す。図７は、清掃ユニット１６０Ｌの裏面側の外観斜視図である。図７は、カバー部１６３が閉じた状態の清掃ユニット１６０Ｌを示す。なお、本明細書では、Ｚ軸は、カバー部１６３が閉じた状態において、後述のダストボックス１６２とカバー部１６３が重ねられた方向である。Ｚ軸プラス方向は、ダストボックス１６２からカバー部１６３に向かう方向である。Ｘ軸およびＹ軸は、Ｚ軸に直交する平面における、互いに直交する２軸である。具体的には、Ｘ軸は、図５において、清掃ユニット１６０Ｌの幅方向（すなわち、紙面の左右方向）である。Ｘ軸プラス方向は、紙面の右方向である。Ｙ軸は、図５において、清掃ユニット１６０Ｌの奥行方向（すなわち、紙面の前後方向）である。Ｙ軸プラス方向は、紙面の奥方向である。
【００４３】
清掃ユニット１６０Ｌは、２つの固定部１６１Ｌに加えて、ダストボックス１６２およびカバー部１６３を有する。清掃ユニット１６０Ｌは、カバー部１６３が閉じられた状態では、全体として略直方体の形状を有する。カバー部１６３が閉じられた状態では、清掃ユニット１６０ＬのうちのＸ軸方向の長さが最も長く、Ｚ軸方向の長さが最も短い。
【００４４】
ダストボックス１６２は、第１凹部１６２ａを有する。第１凹部１６２ａは、ダストボックス１６２の表面側に形成されている。すなわち、第１凹部１６２ａは、Ｚ軸マイナス方向に窪んでいる。本実施形態においては、第１凹部１６２ａは、ダストボックス１６２のＸ軸方向の一端から他端にかけて形成されている。第１凹部１６２ａは、ダストボックス１６２のＹ軸マイナス方向寄りに形成されている。本実施形態においては、第１凹部１６２ａは、ダストボックス１６２のＹ軸中心付近からＹ軸マイナス方向の端部にかけて形成されている。
【００４５】
カバー部１６３は、板状の部材である。カバー部１６３のＸ軸方向およびＹ軸方向の長さは、ダストボックス１６２のＸ軸方向およびＹ軸方向の長さに合わせて形成されている。カバー部１６３は、ダストボックス１６２に取り付けられている。カバー部１６３が閉じられた状態においては、カバー部１６３は、Ｚ軸プラス方向側からダストボックス１６２に重ねられている。すなわち、カバー部１６３は、ダストボックス１６２の表面側をカバーする。ダストボックス１６２の第１凹部１６２ａとカバー部１６３とにより、後述の貯留部１９０が構成されている。
【００４６】
清掃ユニット１６０は、上述のダストボックス１６２およびカバー部１６３に加えて、除去ブラシ１７０および剥離ブラシ１８０を有する。
【００４７】
除去ブラシ１７０は、左側フィルタ１５０Ｌに付着した塵埃を除去する。除去ブラシ１７０は、Ｘ軸方向に伸びた棒形状を有する。除去ブラシ１７０は、後述の第２凹部１６２ｂ（図９および図１０を参照）に取り付けられている。
【００４８】
除去ブラシ１７０は、基材部分１７１、毛部分１７２、および２つのゴム製のベロ部材１７３を含む。基材部分１７１は、樹脂材料により形成されている。毛部分１７２は、基材部分１７１の一面に固定されている。毛部分１７２は、全体として一定の長さに揃えられている。除去ブラシ１７０の表面は、断面視において、略円弧状に形成されている（図８参照）。２つのベロ部材１７３は、除去ブラシ１７０を回転させる役割を担う。２つのベロ部材１７３は、Ｚ軸マイナス方向に突出している。一方のベロ部材１７３は、除去ブラシ１７０のＸ軸プラス方向の端部に設けられている。他方のベロ部材１７３は、除去ブラシ１７０のＸ軸マイナス方向の端部に設けられている。
【００４９】
剥離ブラシ１８０は、左側フィルタ１５０Ｌに付着した塵埃を除去することにより除去ブラシ１７０に付着した塵埃を剥がす。剥離ブラシ１８０は、Ｘ軸方向に伸びた棒形状を有する。剥離ブラシ１８０は、第２凹部１６２ｂに取り付けられている。
【００５０】
剥離ブラシ１８０は、基材部分１８１および毛部分１８２を含む。基材部分１８１は、樹脂材料により形成されている。毛部分１８２は、基材部分１８１の一面に固定されている。毛部分１８２は、全体として一定の長さに揃えられている。
【００５１】
図８は、図５のＶＩＩＩ−ＶＩＩＩ断面図である。図８は、清掃時の清掃ユニット１６０Ｌを示す。図８において、破線矢印は、清掃ユニット１６０Ｌの清掃時の進行方向を示す。太線矢印は、塵埃の流れを示す。既に説明したように、２つの固定部１６１Ｌが２つの取付部１４２Ｌに取り付けられた場合に、清掃ユニット１６０Ｌは、左側フィルタ１５０Ｌに対向して配置される。このとき、清掃ユニット１６０Ｌの裏面は、左側フィルタ１５０Ｌの面に沿う。
【００５２】
除去ブラシ１７０、剥離ブラシ１８０、および貯留部１９０は、左側フィルタ１５０Ｌの面に沿った方向に配置されている。より詳細には、除去ブラシ１７０は、剥離ブラシ１８０と貯留部１９０の間に位置している。すなわち、貯留部１９０は、除去ブラシ１７０を挟んで、剥離ブラシ１８０とは反対側に位置している。換言すると、清掃ユニット１６０Ｌの清掃時の進行方向の前側から順に、剥離ブラシ１８０、除去ブラシ１７０、および貯留部１９０が位置している。貯留部１９０は、剥離ブラシ１８０により剥がされた塵埃を貯留する。
【００５３】
既に説明したように、左側フィルタ１５０Ｌの左右の外枠部分のそれぞれには、複数の突起部１５２Ｌが列状に形成されている。すなわち、左側フィルタ１５０Ｌの左右の外枠部分のそれぞれには、突起部列が形成されている。清掃ユニット１６０Ｌが移動する場合に、２つのベロ部材１７３は、突起部列のそれぞれの列上を移動する。
【００５４】
除去ブラシ１７０の毛部分１７２が左側フィルタ１５０Ｌに対向している場合には、図８に示されるように、ベロ部材１７３は、清掃ユニット１６０ＬのＹ軸方向の略中央に位置している。このとき、ベロ部材１７３は、紙面下方に向いている。清掃ユニット１６０Ｌが左側フィルタ１５０Ｌの後方上側の方向（図８の破線矢印で示す方向）に移動すると、２つのベロ部材１７３は、それぞれの突起部列の突起部１５２Ｌの各々を乗り越える。したがって、毛部分１７２が左側フィルタ１５０Ｌに対向した状態が維持される。よって、この間に、左側フィルタ１５０Ｌに対する清掃動作が行われる。すなわち、毛部分１７２により、左側フィルタ１５０Ｌに付着した塵埃が除去される。
【００５５】
一方、清掃ユニット１６０Ｌが左側フィルタ１５０Ｌの前方下側の方向（図８の破線矢印で示す方向とは反対方向）に移動すると、２つのベロ部材１７３は、それぞれの突起部列のいずれかの突起部１５２Ｌに引っ掛かり、押されることにより、Ｙ軸プラス方向に移動する。これにより、除去ブラシ１７０の全体が反時計周りに回転する。そうすると、毛部分１７２が清掃ユニット１６０Ｌの内部に収納される。毛部分１７２が左側フィルタ１５０Ｌに対向しないので、左側フィルタ１５０Ｌに付着した塵埃の除去は行われない。
【００５６】
一方、除去ブラシ１７０の全体が反時計周りに回転することにより、除去ブラシ１７０の毛部分１７２と剥離ブラシ１８０の毛部分１８２とが、互いに接触する。これにより、除去ブラシ１７０に付着した塵埃が取り除かれる。すなわち、リフレッシュ動作が行われる。このとき、除去ブラシ１７０と剥離ブラシ１８０が互いに接する領域のうち、清掃ユニット１６０Ｌの内側の部分Ａは、清掃ユニット１６０Ｌの外側の部分Ｂよりも強く接している。除去ブラシ１７０と剥離ブラシ１８０の位置関係は、部分Ａが部分Ｂよりも強く接するように、調整されている。塵埃は、太線矢印に示されるように案内されて貯留部１９０に貯留される。
【００５７】
２つのベロ部材１７３がＹ軸プラス方向に移動した結果、２つのベロ部材１７３は、清掃ユニット１６０ＬのＹ軸方向の中央よりもプラス方向寄りに位置している。このとき、ベロ部材１７３は、紙面上方に向いている。その後、清掃ユニット１６０Ｌが左側フィルタ１５０Ｌの後方上側の方向に再度移動すると、２つのベロ部材１７３は、それぞれの突起部列のいずれかの突起部１５２Ｌに引っ掛かり、押されることにより、Ｙ軸マイナス方向に移動する。これにより、除去ブラシ１７０の全体が時計周りに回転する。そうすると、毛部分１７２が清掃ユニット１６０Ｌの外部に現れ、毛部分１７２は、左側フィルタ１５０Ｌに再び対向する。
【００５８】
上述のように、剥離ブラシ１８０により剥がされた塵埃が貯留部１９０に案内されるときに、剥離ブラシ１８０および除去ブラシ１７０は、互いに接触している。すなわち、剥離ブラシ１８０と除去ブラシ１７０の間に隙間が存在しない。詳しくは後述するが、本実施形態においては、清掃ユニット１６０Ｌは、付勢部材の一例としてのコイルバネを有する。コイルバネは、除去ブラシ１７０側に剥離ブラシ１８０を付勢する。これにより、より確実に、剥離ブラシ１８０と除去ブラシ１７０を接触させている。
【００５９】
ここでは、塵埃の流れをより詳細に説明する。既に説明したように、清掃ユニット１６０Ｌが左側フィルタ１５０Ｌの前方下側の端部から後方上側の端部まで移動する間に、清掃ユニット１６０Ｌは、清掃状態とリフレッシュ状態の切換を複数回行う。すなわち、清掃ユニット１６０Ｌは、左側フィルタ１５０Ｌの後方上側の方向への移動と、前方下側の方向への移動とを繰り返しながら、最終的に後方上側の端部まで移動する。ここで、清掃ユニット１６０Ｌが左側フィルタ１５０Ｌの前方下方から前方上方の間を移動する場合には、除去ブラシ１７０から剥がされた塵埃は、重力により貯留部１９０に運ばれる。
【００６０】
清掃ユニット１６０Ｌは、左側フィルタ１５０Ｌの後方に向かうにつれて、その体勢を起こす。すなわち、清掃ユニット１６０Ｌの姿勢は、清掃ユニット１６０Ｌの裏面が水平面に沿う水平姿勢に近づく。したがって、清掃ユニット１６０Ｌが左側フィルタ１５０Ｌの前方上方から後方上方の間を移動する場合には、除去ブラシ１７０から剥がされた塵埃は、貯留部１９０に運ばれ難くなる。つまり、塵埃は、除去ブラシ１７０および剥離ブラシ１８０の近辺に滞留する。その後、清掃ユニット１６０Ｌが前方に向けて移動し、さらに上方から下方に移動すると、滞留していた塵埃は、重力により貯留部１９０に運ばれる。塵埃が除去ブラシ１７０および剥離ブラシ１８０の近辺に滞留している間のリフレッシュ動作中においても、剥離ブラシ１８０と除去ブラシ１７０の間には隙間が存在しない。
【００６１】
図９および図１０は、清掃ユニット１６０Ｌの組み立て図である。図９は、ダストボックス１６２と剥離ブラシ１８０の取付を示す。図１０は、ダストボックス１６２と除去ブラシ１７０の取付を示す。
【００６２】
ダストボックス１６２は、第２凹部１６２ｂを有する。第２凹部１６２ｂは、ダストボックス１６２の裏面側に形成されている。すなわち、第２凹部１６２ｂは、Ｚ軸プラス方向に窪んでいる。本実施形態においては、第２凹部１６２ｂは、ダストボックス１６２のＸ軸方向の一端から他端にかけて形成されている。第２凹部１６２ｂは、ダストボックス１６２のＹ軸プラス方向寄りに形成されている。すなわち、第２凹部１６２ｂは、第１凹部１６２ａからずれた位置に形成されている。
【００６３】
ダストボックス１６２の第２凹部１６２ｂの底面には、２つの切欠部１６２ｃが形成されている。２つの切欠部１６２ｃは、Ｘ軸方向に離れて位置している。第２凹部１６２ｂの底面の奥側（すなわちＺ軸プラス方向側）には、回動軸１６２ｄがＸ軸方向に沿って配置されている。回動軸１６２ｄの一部は、２つの切欠部１６２ｃから露出している。
【００６４】
ダストボックス１６２の第２凹部１６２ｂには、２つの第１孔部１６２ｅが形成されている。２つの第１孔部１６２ｅは、第２凹部１６２ｂのＸ軸方向の両端部の内壁の手前に互いに対向するように位置している。ダストボックス１６２の第２凹部１６２ｂには、軸受としての２つの第２孔部１６２ｆが形成されている。一方の第２孔部１６２ｆは、第２凹部１６２ｂのＸ軸プラス方向の端部の側壁に形成されている。他方の第２孔部１６２ｆは、第２凹部１６２ｂのＸ軸マイナス方向の端部の側壁に形成されている。
【００６５】
剥離ブラシ１８０は、２つの爪部１８３と、２つの腕部１８４とを有する。２つの爪部１８３は、剥離ブラシ１８０のうちダストボックス１６２に対向する側面に形成されている。２つの爪部１８３は、Ｘ軸方向に離れて位置している。２つの腕部１８４は、剥離ブラシ１８０のうちダストボックス１６２に対向する側面に形成されている。２つの腕部１８４は、Ｘ軸方向に離れて位置している。一方の腕部１８４は、Ｘ軸プラス方向の端部に形成されており、他方の腕部１８４は、Ｘ軸マイナス方向の端部に形成されている。２つの爪部１８３が回動軸１６２ｄを挟持することにより、剥離ブラシ１８０はダストボックス１６２に取り付けられる。剥離ブラシ１８０は、第２凹部１６２ｂのうちＹ軸プラス方向寄りの部分に取り付けられる。このとき、２つの腕部１８４の先端は、第２孔部１６２ｆに嵌め込まれる。
【００６６】
既に説明したように、清掃ユニット１６０Ｌは、除去ブラシ１７０側に剥離ブラシ１８０を付勢するコイルバネ２００を有する。本実施形態においては、コイルバネ２００は、剥離ブラシ１８０のＸ軸方向の両端部に配置されている。コイルバネ２００は、腕部１８４に取り付けられる。
【００６７】
除去ブラシ１７０は、回動軸１７４を有する。回動軸１７４は、Ｘ軸方向に沿って配置されている。回動軸１７４の一端は、基材部分１７１のＸ軸プラス方向の端部から、Ｘ軸プラス方向に突出している。回動軸１７４の他端は、基材部分１７１のＸ軸マイナス方向の端部から、Ｘ軸マイナス方向に突出している。回動軸１７４の両端が２つの第２孔部１６２ｆに挿入されることにより、除去ブラシ１７０は、ダストボックス１６２に回動可能に取り付けられる。除去ブラシ１７０は、第２凹部１６２ｂのうちＹ軸マイナス方向寄りの部分に取り付けられる。すなわち、除去ブラシ１７０は、第１凹部１６２ａに隣接した位置に取り付けられる。除去ブラシ１７０は、剥離ブラシ１８０に対向している。
【００６８】
図１１は、剥離ブラシ１８０とコイルバネ２００の取付を説明する図である。特に、図１１Ａは、コイルバネ２００が取り付けられた剥離ブラシ１８０をＸ軸プラス方向側から見た平面図である。図１１Ｂは、コイルバネ２００およびコイルバネ２００周辺を拡大した斜視図である。ここでは、２つの腕部１８４のうち、Ｘ軸プラス方向の端部に形成された腕部１８４を例に挙げて説明する。図１２は、図１０のＸＩＩ−ＸＩＩ断面の一部拡大図である。
【００６９】
腕部１８４は、起立部１８４ａおよび装着部１８４ｂを有する。起立部１８４ａは、基材部分１８１の側面からＺ軸プラス方向に突出して形成されている。装着部１８４ｂは、起立部１８４ａの先端からＸ軸プラス方向に突出して形成されている。装着部１８４ｂは、略円柱の形状である。基材部分１８１の側面には、溝部１８５が形成されている。溝部１８５は、起立部１８４ａに隣接して形成されている。
【００７０】
コイルバネ２００は、本体部２０１と、２つの脚部２０２（すなわち脚部２０２ａおよび脚部２０２ｂ）とを有する。本体部２０１は、略円筒の形状である。本体部２０１は、装着部１８４ｂに取り付けられる。本体部２０１のＸ軸方向の長さは、溝部１８５のＸ軸方向の長さに略等しい。脚部２０２ａは、本体部２０１のＸ軸プラス方向の端部から伸びており、脚部２０２ｂは、本体部２０１のＸ軸マイナス方向の端部から伸びている。脚部２０２ａは、溝部１８５に嵌められている。すなわち、脚部２０２ｂが基材部分１８１に引っ掛けられる。一方、脚部２０２ｂは、ダストボックス１６２の内壁に接して配置されている。図１０に示したように、除去ブラシ１７０がダストボックス１６２に取り付けられると、コイルバネ２００により、剥離ブラシ１８０が除去ブラシ１７０側に付勢される。
【００７１】
（３）空気調和装置の特徴
本実施形態の空気調和装置１００においては、フィルタ１５０と、清掃ユニット１６０とを備える。清掃ユニット１６０は、フィルタ１５０に対して移動してフィルタ１５０を清掃する。清掃ユニット１６０は、除去ブラシ１７０と、剥離ブラシ１８０と、貯留部１９０とを有する。
【００７２】
本実施形態の空気調和装置１００においては、清掃ユニット１６０の清掃時の移動方向の前側から順に、剥離ブラシ１８０、除去ブラシ１７０、および貯留部１９０が位置している。したがって、剥離ブラシ１８０が除去ブラシ１７０と貯留部１９０の間に位置している場合に比べて、貯留部１９０と剥離ブラシ１８０の間の距離が長くなる。すなわち、剥離ブラシ１８０から貯留部１９０に至るアプローチ部分も、貯留部１９０として活用することができる。結果として、上記の場合に比べて、貯留部１９０の容積を増大させることができる。よって、貯留部１９０の容積の低下を抑制することができる。
【００７３】
既に説明したように、清掃ユニット１６０の姿勢は、フィルタ１５０の後方に向かうにつれて、水平姿勢に近づく。清掃ユニット１６０が水平姿勢に近づくと、塵埃の一部は、除去ブラシ１７０の回転により、貯留部１９０に案内され得るものの、塵埃の大部分は、除去ブラシ１７０および剥離ブラシ１８０の近辺に滞留し得る。このとき、仮に、剥離ブラシ１８０と除去ブラシ１７０の間に隙間が存在すれば、塵埃が清掃ユニット１６０外にこぼれ落ちる恐れがある。
【００７４】
本実施形態の空気調和装置１００においては、剥離ブラシ１８０により剥がされた塵埃が貯留部１９０に案内されるときに、剥離ブラシ１８０および除去ブラシ１７０は、互いに接触している。すなわち、剥離ブラシ１８０と除去ブラシ１７０の間に隙間が存在しない。特に、本実施形態の空気調和装置１００においては、清掃ユニット１６０は、除去ブラシ１７０側に剥離ブラシ１８０を付勢するコイルバネ２００を有する。これにより、剥離ブラシ１８０は、より確実に、除去ブラシ１７０に接触する。したがって、塵埃が剥離ブラシ１８０と除去ブラシ１７０の間から清掃ユニット１６０外にこぼれ落ちることを防止することができる。
【００７５】
ここで、除去ブラシ１７０と剥離ブラシ１８０が互いに接する領域のうち、仮に、清掃ユニット１６０の外側の部分が、清掃ユニット１６０の内側の部分よりも強く接していれば、除去ブラシ１７０に付着した塵埃は、清掃ユニット１６０の外側の部分で剥がされることになる。そうすると、塵埃が清掃ユニット１６０外にこぼれ落ちる恐れがある。
【００７６】
本実施形態の空気調和装置１００においては、除去ブラシ１７０と剥離ブラシ１８０が互いに接する領域のうち、清掃ユニットの内側の部分Ａは、清掃ユニットの外側の部分Ｂよりも強く接している。したがって、塵埃は、清掃ユニットの内側の部分Ａで、除去ブラシ１７０から剥がされる。よって、塵埃が剥離ブラシ１８０と除去ブラシ１７０の間から清掃ユニット１６０外にこぼれ落ちることを防止することができる。
【００７７】
＜変形例＞
本発明の実施形態に適用可能な変形例を説明する。
【００７８】
（１）変形例Ａ
以上の説明では、付勢部材としてコイルバネ２００を例に挙げたが、板バネ等の他のバネを用いることもできる。
【００７９】
（２）変形例Ｂ
以上の説明では、清掃ユニット１６０がフィルタ１５０に対して移動したが、フィルタ１５０が清掃ユニット１６０に対して移動してもよい。より詳細には、清掃ユニット１６０が支持フレーム１４０に固定され、フィルタ１５０が支持フレーム１４０に摺動可能に取り付けられてもよい。すなわち、清掃ユニット１６０は、フィルタ１５０に対して相対的に移動すればよい。
【００８０】
以上のように、本発明は実施形態を用いて説明されたが、本発明の技術的範囲は上記の実施形態に記載の範囲に限定されない。多様な変更または改良を上記の実施形態に加えることが可能であることは、当業者に明らかである。その様な変更または改良を加えた形態も本発明の技術的範囲に含まれ得ることは、特許請求の範囲の記載から明らかである。
【符号の説明】
【００８１】
１００  空気調和装置
１５０  フィルタ
１６０  清掃ユニット
１７０  除去ブラシ
１８０  剥離ブラシ
１９０  貯留部
２００  コイルバネ
【先行技術文献】
【特許文献】
【００８２】
【特許文献１】特開２００９−１９２２１１号公報
【図１】
0006299717.tif 000002
【図２】
0006299717.tif 000003
【図３】
0006299717.tif 000004
【図４】
0006299717.tif 000005
【図５】
0006299717.tif 000006
【図６】
0006299717.tif 000007
【図７】
0006299717.tif 000008
【図８】
0006299717.tif 000009
【図９】
0006299717.tif 000010
【図１０】
0006299717.tif 000011
【図１１Ａ】
0006299717.tif 000012
【図１１Ｂ】
0006299717.tif 000013
【図１２】
0006299717.tif 000014